(57)【要約】【課題】個別通信だけでなくグループ通信の通信試験も行えるようにし、かつ異なる日時で通信試験を行ったとき、試験結果を司令センタで集計できるようにする。【解決手段】通信試験を行うときのみ固定端末となる複数個の半固定端末（半固定端末１１３Ａ、半固定端末１１４Ａ）、各半固定端末に１個接続され半固定端末の送受信動作を制御する半固定側パソコン（半固定側パソコン１１３Ｂ、半固定側パソコン１１４Ｂ）、通信試験時に格納された音声を制御局１４０、基地局１２０を介して半固定側パソコンへ送出すると共に、通信試験後にパソコン通信により半固定端末から送出される試験結果を集計する司令センタ側パソコン１５１を設ける。【選択図】図１
2004120549.tif 000002
【特許請求の範囲】
【請求項１】
制御局と、該制御局に接続される１以上の基地局と、該基地局に無線回線を介して接続される複数の移動端末と、通信試験時において前記基地局の通信エリア内に配置される半固定端末とを含む無線移動通信システムにおいて、
複数個の前記半固定端末と、該半固定端末の送受信動作を制御する第１の制御手段と、通信試験前に送受信局を設定すると共に通信試験時に第１の制御手段を遠隔制御する第２の制御手段とを備え、前記送受信局を自在に切り換えて通信試験を行うように構成したことを特徴とする無線移動通信システム。
【請求項２】
請求項１記載の無線移動通信システムにおいて、
各前記半固定端末に少なくとも１つの第１の制御手段が接続されると共に、通信試験時に送出する音声を格納する記憶部を各々の第１の制御手段に備え、前記音声を通信試験時に送信局から受信局へ伝送されたか否かの結果を前記受信局に接続された第１の制御手段を介して第２の制御手段へ伝送して試験結果を集計するように構成したことを特徴とする無線移動通信システム。
【請求項３】
請求項１記載の無線移動通信システムにおいて、
前記制御局に接続されると共に、通信試験時に送出する音声を格納する記憶部を第２の制御手段に備え、第２の制御手段が前記音声を前記制御局、前記基地局を介して前記半固定端末に送出したとき、前記半固定端末が受信したか否かの結果を第１の制御手段を介して第２の制御手段へ伝送して試験結果を集計するように構成したことを特徴とする無線移動通信システム。
【請求項４】
請求項２記載の無線移動通信システムにおいて、
第２の制御手段が前記制御局に接続され、第１の制御手段が前記音声を前記半固定端末、前記基地局、前記制御局を介して第２の制御手段に送出したとき、第２の制御手段が前記音声を受信したか否かを判定し、該判定の結果を集計するように構成したことを特徴とする無線移動通信システム。
【発明の詳細な説明】
【０００１】
【発明の属する技術分野】
本発明は、移動端末局を含む無線移動通信システムの通信試験に関するものである。
【０００２】
【従来の技術】
近年、携帯電話やＰＨＳ（Ｐｅｒｓｏｎａｌ　Ｈａｎｄｙ　ｐｈｏｎｅ　Ｓｙｓｔｅｍ）などに代表されるように、無線移動通信システムが急速な勢いで発展を続けている。実用化されている無線移動通信システムは、無線通信回線の制御を行う制御局と、この制御局の制御のもとに端末局（移動端末局又は固定端末局）間の無線通信の中継とサービスエリアの維持を行う１つあるいは複数の基地局と、この基地局を介して無線通信を行う複数の端末局とから構成されていることが知られている。
【０００３】
このような無線移動通信システムでは、端末局（以下、発呼局と称する。）が他の端末局（以下、被呼局と称する。）と無線通信を行う場合、発呼局は基地局が無線通信可能範囲を維持するサービスエリア内において、基地局を介し、制御局により制御される無線通信回線（通信チャネル）を使用して無線通信を行っている。
【０００４】
無線移動通信システムとは、言うまでも無く公共の電波を利用するものであり、公衆用、業務用を問わず、システムを提供する側としては、電波の管理及び監視を厳しく行う必要がある。
【０００５】
一般的に、無線移動通信システムのサービスにおいては、公衆用であれば通話トラヒックの少ない時間帯、また業務用であれば、例えば夜間や休日など業務時間以外の時間帯に、電波を発信する基地局や端末局の動作確認など、いわゆる保守・点検をする必要がある。以下、従来の一例である業務用無線移動通信システムにおける保守・点検の様子について図２を用いて説明する。図２は、従来の一例である無線移動通信システムの構成を示す図である。
【０００６】
図２において、２１０、２１１、２１２は移動端末局（以下、移動端末局を移動端末と称する。）、２１３Ａは半固定端末局（以下、半固定端末局を半固定端末と称する。）である。図中、移動端末２１０、移動端末２１１、移動端末２１２は、既に日中の通常運用（業務）を終了しており、司令センタ２５０（司令センタ２５０については後述する。）に集結している状態を示している。
【０００７】
２１３Ｂは半固定側パソコンであり、半固定端末２１３Ａに接続されている。そして２１３は半固定側試験装置である。半固定側試験装置２１３は業務時間以外の時間で通信試験を行うときのみ、例えば営業所に設置されることで固定局として動作する。
【０００８】
２２０、２２１、２２２は無線移動通信システムの基地局である。一般的に基地局は電波を利用して移動端末と双方向の通信を行うと共に、有限資源である電波の管理を行う。しかし、基地局からの電波が届く範囲（以下、基地ゾーンと称する。）は限定されている。
【０００９】
２３０、２３１、２３２は、各々の基地局（基地局２２０、基地局２２１、基地局２２２）の基地ゾーンである。基地ゾーン２３０、基地ゾーン２３１、基地ゾーン２３２はそれぞれ基地局２２０、基地局２２１、基地局２２２からの電波が届く範囲である。
【００１０】
本図では、半固定側試験装置２１３が、基地ゾーン２３０、基地ゾーン２３１、基地ゾーン２３２が重なるエリア（基地局２２０、基地局２２１、基地局２２２の共通通話エリア）に設置されている状態を示している。
【００１１】
また、２４０は無線移動通信システムの制御局であり、基地局２２０、基地局２２１、基地局２２２と制御局２４０とはアプローチ線で接続されている。基地局が複数存在する場合、制御局２４０はこれらの基地局を総括的に管理するための機能を有する。
【００１２】
更に、２５０は司令センタであり、司令センタ側パソコン２５１を有している。司令センタ側パソコン２５１は、保安網内線などにより制御局２４０と接続されると共に、保安網内線又は公衆回線等の通信回線により半固定側パソコン２１３Ｂと接続される。従って、半固定側パソコン２１３Ｂと司令センタ側パソコン２５１との間でパソコン通信が可能な状態になっている。
【００１３】
前述の構成を有する従来の無線移動通信システムで、例えば夜間や休日など、業務時間以外の時間帯で通信試験を行ったときの動作の一例として、半固定側試験装置２１３が自動的に発呼して、司令センタ２５０で着呼する場合での動作について説明する。
【００１４】
この動作については、基地ゾーンが重なる集合部分（基地局の共通通話エリア）に設置している半固定側試験装置２１３の半固定端末２１３Ａが、基地局２２０を選択したものとして説明する。（移動端末、半固定端末は一般的に基地局選択機能を有している。）
まず、半固定側パソコン２１３Ｂが、半固定端末２１３Ａに対して発呼動作をさせる。半固定側パソコン２１３Ｂは、司令センタ側パソコン２５１による遠隔制御により（通信回線２６０を介して司令センタ側パソコン２５１からの指令が伝達されることにより）、半固定端末２１３Ａに発呼動作をさせる。この発呼動作により、半固定端末２１３Ａは基地局２２０と通信可能な状態が確立される。
【００１５】
次に、半固定端末２１３Ａは、基地局２２０を介して制御局２４０に対して送信権獲得を要求する「送信権確認メッセージ」を伝送する。制御局２４０に伝達された「送信権確認メッセージ」が複数ある（基地局２２１、又は基地局２２２を介して制御局２４０に伝送された「送信権確認メッセージ」がある）場合は、先に伝送された「送信権確認メッセージ」を受け付ける。なお、「送信権確認メッセージ」等、各種メッセージ（制御信号）は、制御局２４０内のプロセッサ（図示せず）によって受け付けられた後、処理される。
【００１６】
以降、半固定端末２１３Ａからの「送信権確認メッセージ」が制御局２４０に受け付けられ、送信権を獲得したものとして説明する。送信権を獲得した結果、半固定端末２１３Ａは、基地局２２０を介して制御局２４０と接続される。即ち、半固定端末２１３Ａと制御局２４０との通話路が確立される。
【００１７】
通話路が確立された後、送信側となる半固定側試験装置２１３においては、半固定側パソコン２１３Ｂに予めデータとして格納されてある音声が半固定端末２１３Ａに入力された後、送信される。また受信側となる司令センタ側パソコン２５１においては、内蔵している記憶媒体（図示せず）に半固定端末２１３Ａからの音声を格納する。音声が送信されてから記憶媒体に格納されるまでの動作について、以下、詳細に説明する。
【００１８】
まず、半固定側パソコン２１３Ｂから半固定端末２１３Ａに入力された音声は、無線通信回線を介して、基地局２２０に伝送される。前述の送信権獲得の説明により既に半固定端末２１３Ａと制御局２４０との通話路が確立されているので、音声は基地局２２０からアプローチ線を経由して制御局２４０に入力される。そして、制御局２４０に入力された音声は、保安網内線を経由して、司令センタ側パソコン２５１に入力される。入力された音声は、司令センタ側パソコン２５１の記憶媒体（例えば、ハードディスク）にデータとして格納される。この記憶媒体に格納された音声を、司令センタ２５０の運用者が再生試聴して確認することにより、通信試験が可能となる。
【００１９】
以上の説明は、半固定側パソコン２１３Ｂから司令センタ側パソコン２５１に音声を伝送する場合での通信試験での動作に関するものであるが、もちろん逆方向（＝下り方向通話路）での通信試験に関しても、前述の従来の無線移動通信システムで行うことができる。即ち、司令センタ側パソコン２５１から半固定側パソコン２１３Ｂに音声を伝送する場合の通信試験も行うこともできる。
【００２０】
従って、従来の無線移動通信システムにおいても、半固定端末又は制御局に接続した汎用のパソコンが発呼局の発呼動作を制御すること、着呼局の受信した音声を格納することにより、移動端末側に保守運用者を設けることなく通信試験を行うことが可能である。
【００２１】
【発明が解決しようとする課題】
前述の従来の無線移動通信システムでは、無線通信回線を含むシステムの保守・点検を行う場合に、司令センタと半固定側試験装置間の個別通信しか通信試験を行えないという欠点がある。
【００２２】
そこで本発明では、個別通信に加えグループ通信の通信試験も行えるようにし、かつ通信試験を行ったときの試験結果を司令センタで集計できるようにすることを目的とする。
【００２３】
【課題を解決するための手段】
そこで本発明では、前述の目的を達成するために、複数個の半固定端末と、半固定端末の送受信動作を制御する第１の制御手段（本実施例では、半固定側パソコン）と、通信試験前に送受信局を設定すると共に通信試験時に第１の制御手段を遠隔制御する第２の制御手段（本実施例では、司令センタ側パソコン）とを設けるようにしたものである。
【００２４】
その結果、第２の制御手段で通信試験前にどの半固定端末を送信局にするか受信局にするかを設定することができるため、送受信局を自在に切り換えて（回線ルートを自在に切り換えて）通信試験を行うことができるようにしたものである。また、送信局以外の半固定端末を全て受信局とすることにより、個別通信だけでなく、グループ通信も行うことができるようにしたものである。
【００２５】
更に、各半固定端末に１つ、第１の制御手段が接続されると共に、通信試験時に送出する音声を格納する記憶部（本実施例では、メモリ）を各々の第１の制御手段に設けるようにしたものである。
【００２６】
その結果、音声が通信試験時に送信局から受信局へ伝送されたか否かの結果を受信局に接続された第１の制御手段を介して第２の制御手段へ伝送することにより、試験結果を集計できるようにしたものである。
【００２７】
【発明の実施の形態】
本発明の一実施例である無線移動通信システムについて説明する前に、本発明に関連する基本的事項について説明する。
【００２８】
一般に、携帯電話を用いた移動体通信では、話者が１：１である「個別通信」、即ち、送話者、受話者が共に１人である「個別通信」を通常行うのに対して、業務用無線移動通信システムにおいては、「個別通信」だけでなく送話者１に対して受話者がＮ（複数）である「グループ通信」を行うことがある。「グループ通信」を行うことにより、各移動端末は同じ情報を共有できるため、業務を円滑に進めることができるという特徴を有する。
【００２９】
本発明は、半固定端末（通信試験を行うときのみ固定端末となる移動端末）と、半固定端末に接続される半固定端末側制御装置（例えば、パソコン）とをそれぞれ複数個設け、司令センタ側制御装置（例えば、パソコン）により複数の半固定端末側制御装置を遠隔制御することで、無線移動通信システムの個別通信試験及びグループ通信試験を行うようにしたものである。
【００３０】
通信試験を行う前に、発信装置が司令センタ側制御装置である場合でも半固定端末側制御装置である場合でも、司令センタ側制御装置を操作して発信時刻を設定する。例えば、半固定端末側制御装置が発信装置である場合でも、司令センタ側制御装置を操作して発信時刻を設定する。そして発信時刻になったときに、公衆回線等の通信回線により接続されている司令センタ側制御装置に遠隔制御されることにより、半固定端末制御装置は格納している音声を送出する。
【００３１】
なお、半固定端末を通信試験用に設けてもよいが、業務時間に使用している移動端末を通信試験時に半固定端末として用いてもよい。
【００３２】
以上の基本的事項につづき、本発明の一実施例である無線移動通信システムについて図１、図３〜図７を用いて説明する。
【００３３】
まず、本実施例の無線移動通信システムの構成について、図１を用いて説明する。図１は本実施例の無線移動通信システムの構成を示す図である。
【００３４】
図１において、１１０、１１１、１１２は移動端末局（以下、移動端末局を移動端末と称する。）、１１３Ａ、１１４Ａは半固定端末局（以下、半固定端末局を半固定端末と称する。）である。図中、移動端末１１０、移動端末１１１、移動端末１１２は、既に日中の通常運用（業務）を終了しており、司令センタ１５０（司令センタ１５０については後述する。）に集結している状態を示している。
【００３５】
１１３Ｂ、１１４Ｂは半固定側パソコンであり、それぞれ半固定端末１１３Ａ、半固定端末１１４Ａに接続されている。そして１１３、１１４は半固定側試験装置である。半固定側試験装置１１３、半固定側試験装置１１４は業務時間以外の時間で通信試験を行うときのみ、例えば営業所に設置されることで固定局として動作する。
【００３６】
１２０、１２１、１２２は基地局である。一般的に基地局は電波を利用して移動端末と双方向の通信を行うと共に、有限資源である電波の管理を行う。しかし、基地局からの電波が届く範囲（以下、基地ゾーンと称する。）は限定されている。
【００３７】
１３０、１３１、１３２は、各々の基地局（基地局１２０、基地局１２１、基地局１２２）の基地ゾーンである。基地ゾーン１３０、基地ゾーン１３１、基地ゾーン１３２はそれぞれ基地局１２０、基地局１２１、基地局１２２からの電波が届く範囲である。
【００３８】
本図では、半固定側試験装置１１３、半固定側試験装置１１４が、基地ゾーン１３０、基地ゾーン１３１、基地ゾーン１３２が重なるエリア（基地局１２０、基地局１２１、基地局１２２の共通通話エリア）に設置されている状態を示している。
【００３９】
また、１４０は制御局であり、基地局１２０、基地局１２１、基地局１２２とはアプローチ線で接続されている。基地局が複数存在する場合、制御局１４０はこれらの基地局を総括的に管理するための機能を有する。
【００４０】
更に、１５０は司令センタであり、司令センタ側パソコン１５１を有している。司令センタ側パソコン１５１は、保安網内線により制御局１４０と接続されると共に、保安網内線、又は公衆回線等の通信回線を介して半固定側パソコン１１３Ｂ及び半固定側パソコン１１４Ｂと接続される。従って、司令センタ側パソコン１５１は、半固定側パソコン１１３Ｂ及び半固定側パソコン１１４Ｂとパソコン通信が可能な状態になっている。
【００４１】
司令センタ側パソコン１５１は半固定側パソコン１１３Ｂ及び半固定側パソコン１１４Ｂとパソコン通信が可能であることを利用して、半固定側パソコン１１３Ｂ及び半固定側パソコン１１４Ｂを遠隔制御する。この遠隔制御により、例えば、図５に示す条件で通信試験を行った場合、司令センタ側パソコン１５１からの指令で、半固定側パソコン１１３Ｂが半固定端末１１３Ａに発呼動作を行わせると共に、半固定側パソコン１１４Ｂが半固定端末１１４Ａに被呼動作を行わせることができる。更に、通信試験後、司令センタ側パソコン１５１からの指令で、試験結果を半固定側パソコン１１４Ｂより送出させることにより集計することができる。
【００４２】
以下、下記（１）〜（３）における本実施例の無線移動通信システムの動作について説明する。
（１）通信試験条件設定時
（２）通信試験時
（３）試験結果集計時
まず、（１）の通信試験条件設定時における本実施例の無線移動通信システムの動作について、図３を用いて説明する。図３は、通信試験条件設定時において、司令センタ側パソコン１５１のモニタに表示される画面である。
【００４３】
図中、３１０は通信試験毎に割り振られた番号を表示する表示部である。通信条件を変えて通信試験を何回も行うことがあるため、各通信試験に対応させるために番号が付与されている。３１１は通信試験の開始時間を設定するときの操作部である。３１２は通信試験の終了時間を設定するときの操作部である。３１３は通信試験の試験間隔（発呼局の送信間隔）を設定するときの操作部である。試験間隔は、例えば１０分、２０分、３０分、…と予め司令センタ側パソコン１５１のメモリ（図示せず）に記憶されている複数種類の試験間隔データの中から選択する。３１４は操作部３１１、操作部３１２、操作部３１３により設定された時間帯に通信試験を毎日行うか否かを設定するときの操作部である。３１５は通信試験を行う際の通信種別を設定するときの操作部であり、個別通信かグループ通信かを選択する。３１６は音声を送出する発信装置を設定するときの操作部であり、司令センタ側パソコン１５１（図３では、ホスト）、半固定側試験装置１１３（図３では、モニタ装置１）、半固定側試験装置１１４（図３では、モニタ装置２）から選択して発信装置を決める。３１７は音声を受信して格納する着信装置を設定するときの操作部であり、司令センタ側パソコン１５１（図３では、ホスト）、半固定側試験装置１１３（図３では、モニタ装置１）、半固定側試験装置１１４（図３では、モニタ装置２）から選択して着信装置を決める。操作部３１５で「グループ」を選択した（グループ通信を選択した）場合、３つの発着信装置の内、発信装置以外は着信装置に設定される。
【００４４】
また、３１８は設定した通信試験条件を司令センタ側パソコン１５１に登録する（設定した通信試験条件を司令センタ側パソコン１５１のメモリに格納する）ときの操作部である。３１９は設定した通信試験条件を登録せずに設定作業を終了させるときの操作部である。
【００４５】
前述の操作部３１１〜操作部３１９を操作して司令センタ側パソコン１５１で通信試験条件を事前に設定した後、通信試験（個別通信試験、又はグループ通信試験）が行われる。従って、通信試験条件（例えば、通信種別や発信装置、着信装置、時間帯）を自在に変えて通信試験を行うことができる。
【００４６】
次に、前記（２）の通信試験時における本実施例の無線移動通信システムの動作について、図１、３、６を用いて説明する。一例として、図６に示す通信試験条件で行った場合について説明する。
【００４７】
なお、図６に示す通信試験条件で通信試験を行った場合、発信装置は司令センタ側パソコン１５１、着信装置は半固定側試験装置１１３となる。半固定側試験装置１１３は、基地ゾーン１３０、基地ゾーン１３１、基地ゾーン１３２が重なるエリア（基地局１２０、基地局１２１、基地局１２２の共通通話エリア）に設置されているため、制御局１４０と通信を行う場合には、３つの通信路がある。即ち、基地局１２０を経由する通信路、基地局１２１を経由する通信路、基地局１２２を経由する通信路がある。半固定端末１１３Ａは、選択した基地局１２０を経由して制御局１４０と通信することとして説明する。（移動端末、半固定端末は基地局選択機能を有している。）
まず、操作部３１１に設定された「開始時間」になると、司令センタ側パソコン１５１は、制御局１４０に対して発呼動作を開始する。次に、司令センタ側パソコン１５１は、保安網内線により制御局１４０と通信可能な状態が確立されると、基地局１２０からの無線回線を介して半固定端末１１３Ａと接続される。即ち、半固定端末１１３Ａと司令センタ側パソコン１５１との通話路が確立される。また、通信路の確立と並行して、発信装置である司令センタ側パソコン１５１は、通信回線１６０を介して半固定側パソコン１１３Ｂを遠隔制御する。この遠隔制御により、半固定側試験装置１１３を着信装置として動作させる。そして、司令センタ側パソコン１５１は、予めメモリに登録している音声を制御局１４０、基地局１２０を介して半固定側試験装置１１３に送出する。
【００４８】
半固定側試験装置１１３においては、司令センタ側パソコン１５１から送出された音声を半固定端末１１３Ａで受信し、半固定側パソコン１１３Ｂ内蔵の記憶媒体（例えば、ハードディスク）に格納する。
【００４９】
次に、前記（３）の試験結果集計時における本実施例の無線移動通信システムの動作について説明する。発信装置から送出された音声が着信装置に入力されることにより着信装置の記憶媒体に格納されれば、通信試験が正常に終了したと着信装置は判断し、この試験結果を司令センタ側パソコン１５１に通知する。
【００５０】
例えば、図６に示す通信試験条件で通信試験を行った場合、司令センタ側パソコン１５１からの音声を半固定側パソコン１１３Ｂの記憶媒体に格納できたのであるのならば、その旨を半固定側パソコン１１３Ｂから、通信回線１６０を介して、司令センタ側パソコン１５１に通知する。
【００５１】
一方、発信装置から送出された音声が着信装置に入力されないことにより着信装置の記憶媒体に格納されないのであるならば、試験結果が異常であると着信装置は判断し、この試験結果を司令センタ側パソコン１５１に通知する。更に、通信路も切断される。
【００５２】
例えば、図６に示す通信試験条件で通信試験を行った場合、司令センタ側パソコン１５１からの音声を半固定側パソコン１１３Ｂの記憶媒体に格納できないのであるのならば、その旨を半固定側パソコン１１３Ｂから、通信回線１６０を介して、司令センタ側パソコン１５１に通知する。そして、無線通信回線を含む半固定端末１１３Ａと司令センタ側パソコン１５１との通信路が切断される。
【００５３】
前記（２）の通信試験時、前記（３）の試験結果集計時における本実施例の無線移動通信システムの動作説明に記載した様に、「開始時間」になると第１回目の通信試験が行われると共に試験結果が司令センタ１５０に伝送される。そして、第１回目の通信試験の結果が司令センタ側パソコン１５１のモニタに表示される。第１回目の通信試験が行われた後、「終了時間」になるまで前記（１）の通信試験条件設定時に設定した間隔で同様の通信試験が行われる度に、試験結果が司令センタ１５０に伝送され、司令センタ側パソコン１５１のモニタに表示される。例えば、図６に示す通信試験条件により通信試験を行った場合、「終了時間」まで３０分毎に同様の通信試験が行われるが、各通信試験が行われる度に、試験結果が司令センタ１５０に伝送され、司令センタ側パソコン１５１のモニタに表示される。
【００５４】
次に、試験結果の表示について図４を用いて説明する。図４は、司令センタ側パソコン１５１のモニタに試験結果が表示された状態を示す図である。図中、４１０は通信試験のスケジュールを示す表示部であり、前記（１）の通信試験条件設定時に設定した内容を確認できる。また、４１１は試験時間を示す表示部であり、通信試験条件設定時に設定した「間隔」で「開始時間」から「終了時間」までに行った全ての通信試験の試験時刻が表示される。
【００５５】
４１２は試験結果を示す表示部である。前述の通り、正常終了（試験結果が正常である）や異常終了（試験結果が異常である）といった結果がこの表示部４１２に表示される。異常終了の場合には、異常要因（何故、異常終了したか）についても表示させることにより、保守を容易に行うことができるようにする。なお、異常要因の表示については、後で詳細に説明する。
【００５６】
４１３は試験終了時に記憶媒体にデータとして格納された音声のファイル名を示す表示部である。試験回数が多くなると、必然的に記憶媒体に格納される音声も多くなる事を考慮して、ファイル名は特定の約束に沿って自動作成できるようにする。その結果、例えば夜間の通信試験を行って複数の試験音声（受信音声）が記憶媒体に格納された場合、翌日の業務時間中に試験音声を１つ選択して再生試聴することができる。また、４１４は試験結果の表示を終了させるときに操作する操作部である。
【００５７】
次に、異常要因の表示について図７を用いて説明する。図７は、通信試験時における司令センタ側試験装置１５１の動作を示すフローチャートである。このフローチャートに示すように、通信試験は下記▲１▼〜▲３▼の手順で行われる。
【００５８】
▲１▼発信装置、着信装置間の回線接続
▲２▼音声のやりとり（通話）
▲３▼発信装置、着信装置間の回線切断
発信装置、着信装置間の回線接続に失敗したとき、司令センタ側試験装置１５１のモニタ（図４の表示部４１２）に「接続失敗」と表示されて通信試験が終了する。その結果、異常終了したのは、回線接続手順に何らかの原因があると推測できるため、保守が容易になる。
【００５９】
発信装置と着信装置との回線接続に成功しても、発信装置からの音声を着信装置へ送出できなかったとき、司令センタ側試験装置１５１のモニタ（図４の表示部４１２）に「音声入出力失敗」又は「端末側装置でタイムアウト発生」と表示されて通信試験が終了する。その結果、異常終了したのは、発信装置が故障していることが原因で音声が出力されないか、又は着信装置が故障していることが原因で音声が入力されないなどと推測できるため、保守が容易になる。
【００６０】
発信装置からの音声を着信装置に送出できても回線切断に失敗したとき、司令センタ側試験装置１５１のモニタ（図４の表示部４１２）に「切断失敗」と表示されて通信試験が終了する。その結果、異常終了したのは、回線切断手順に何らかの原因があると推測できるため、保守が容易になる。
【００６１】
以上のように、本実施例の無線移動通信システムでは、複数の半固定端末及び制御局に汎用のパソコンを接続して、事前に試験スケジュールを設定することにより、自動的に通信試験を行うことができる。更に、試験結果を司令センタで集計することもできる。
【００６２】
【発明の効果】
以上説明したように、本発明によれば、移動端末側及び司令センタ側に運用者や保守員を常駐させることなく、事前設定のみで自動的に回線ルート及び試験時刻を変えて、個別通信試験及びグループ通信試験を行うことができる
更に、試験時刻を変えて通信試験を行うことができるため、記録された試験結果を集計してデータベースとして蓄積することにより、通信を行う際に障害が発生する地域や時間帯を統計的に推定することができる。その結果、障害の予防保全に繋がる無線移動通信システムを提供することができる。
【図面の簡単な説明】
【図１】本発明の一実施例である無線移動通信システムの構成を示す図。
【図２】従来の一例である業務用無線移動通信システムの構成を示す図。
【図３】本発明の一実施例である無線移動通信システムの司令センタ側パソコンのモニタに表示された通信試験条件の設定画面の一例を示す図。
【図４】本発明の一実施例である無線移動通信システムの司令センタ側パソコンのモニタに表示された通信試験結果の一例を示す図。
【図５】本発明の一実施例である無線移動通信システムでの通信試験条件の一例を示す図。
【図６】本発明の一実施例である無線移動通信システムでの通信試験条件の一例を示す図。
【図７】本発明の一実施例である無線移動通信システムでの通信試験時における司令センタ側試験装置の動作を示すフローチャート。
【符号の説明】
１１０、１１１、１１２　：移動端末
１１３、１１４　　　　　　　　　　　　　　：半固定側試験装置
１１３Ａ、１１４Ａ　　　　　　　　　　：半固定端末
１１３Ｂ、１１４Ｂ　　　　　　　　　　：半固定側パソコン
１２０、１２１、１２２　：基地局
１３０、１３１、１３２　：基地ゾーン
１４０　　　　　　　　　　　　　　　　　：制御局
１５０　　　　　　　　　　　　　　　　　：司令センタ
１５１　　　　　　　　　　　　　　　　　：司令センタ側パソコン
１６０　　　　　　　　　　　　　　　　　：通信回線
２１０、２１１、２１２　：移動端末
２１３　　　　　　　　　　　　　　　　　：半固定側試験装置
２１３Ａ　　　　　　　　　　　　　　　　　　　　：半固定端末
２１３Ｂ　　　　　　　　　　　　　　　　　　　　：半固定側パソコン
２２０、２２１、２２２　：基地局
２３０、２３１、２３２　：基地ゾーン
２４０　　　　　　　　　　　　　　　　　：制御局
２５０　　　　　　　　　　　　　　　　　：司令センタ
２５１　　　　　　　　　　　　　　　　　：司令センタ側パソコン
２６０　　　　　　　　　　　　　　　　　：通信回線
３１１〜３１９、４１４　：操作部
３１０、４１０〜４１３　：表示部
【図１】
2004120549.tif 000003
【図２】
2004120549.tif 000004
【図３】
2004120549.tif 000005
【図４】
2004120549.tif 000006
【図５】
2004120549.tif 000007
【図６】
2004120549.tif 000008
【図７】
2004120549.tif 000009